(57)【要約】【課題】  蒸気トラップから排出される復水が高圧且つ多量である場合であっても、確実にモヤモヤとした再蒸発蒸気の発生を防止することのできる蒸気トラップの消湯気器を提供する。【解決手段】  蒸気トラップ１の入口５に復水発生箇所と連通した接続管２を接続する。一方、蒸気トラップ１の出口６にベンチュリ間４を連通する。ベンチュリ管４の中央部に通路断面を絞ったのど部７を設ける。のど部７に冷却流体吸引管８の一端を接続して、他端を冷却流体源と接続する。  蒸気トラップ１から排出される復水と再蒸発蒸気の混合流体は、ベンチュリ管４ののど部７を通過する間に流速を増して冷却流体吸引管８から冷却流体を吸引して混合され冷却されることによって、モヤモヤとした再蒸発蒸気を発生することがない。【選択図】      図１
2005121064.tif 000002
【特許請求の範囲】
【請求項１】
蒸気トラップの出口側に取り付けて、蒸気トラップから排出されるモヤモヤとした復水の再蒸発蒸気を低減するものにおいて、蒸気トラップの出口と連通した連通管にベンチュリ管を接続して、当該ベンチュリ管の、のど部に冷却流体吸引管を取り付けたことを特徴とする蒸気トラップの消湯気器。
【発明の詳細な説明】
【技術分野】
【０００１】
本発明は、蒸気トラップから排出される高温復水が大気中で再蒸発することにより発生するモヤモヤとした再蒸発蒸気を低減する蒸気トラップの消湯気器に関する。
【背景技術】
【０００２】
蒸気トラップは蒸気配管中で発生した凝縮水としての復水だけを外部へ自動的に排出するが、蒸気は外部へ排出することのない自動弁の一種である。蒸気トラップが復水を排出する場合は、排出される復水が通常は高温状態であるために、大気中へ復水が排出されると再蒸発して、その再蒸発した再蒸発蒸気がモヤモヤと立ち昇り、本来排出することのない蒸気を排出しているものと見間違うケースが多々あった。このようなケースを無くすために、蒸気トラップの消湯気器が用いられてきた。
【０００３】
この消湯気器においては、蒸気トラップから排出される復水の量が比較的少ない場合、あるいは、排出される復水の圧力が比較的低い場合は、再蒸発蒸気を有効に冷却してモヤモヤと立ち昇ることを確実に防止することができるが、排出される復水が高圧で且つその量が多い場合は、モヤモヤと立ち昇る再蒸発蒸気を確実に防止することができない問題点があった。
【特許文献１】特公平５−１４８３６号公報
【発明の開示】
【発明が解決しようとする課題】
【０００４】
解決しようとする問題点は、蒸気トラップから排出される復水が高圧且つ多量である場合であっても、確実に再蒸発蒸気の発生を防止することのできる蒸気トラップの消湯気器を提供することである。
【課題を解決するための手段】
【０００５】
本発明は、蒸気トラップの出口側に取り付けて、蒸気トラップから排出されるモヤモヤとした復水の再蒸発蒸気を低減するものにおいて、蒸気トラップの出口と連通した連通管にベンチュリ管を接続して、当該ベンチュリ管の、のど部に冷却流体吸引管を取り付けたことを特徴とする。
【発明の効果】
【０００６】
本発明の蒸気トラップの消湯気器は、蒸気トラップの出口側にベンチュリ管を接続して、このベンチュリ管ののど部に冷却流体吸引管を取り付けたことによって、蒸気トラップから復水が排出される度に冷却流体吸引管から冷却流体例えば冷却水や大気中の空気を吸引して、のど部及びベンチュリ管内で復水と一部の再蒸発蒸気及び吸引された冷却流体が混合されることにより、再蒸発蒸気と復水の温度を低下させてモヤモヤと立ち昇る再蒸発蒸気の発生を防止することができる。また、蒸気トラップから排出される復水の圧力が高く且つその量が多い程、冷却流体吸引管から吸引される冷却流体の量も多くなるために、排出される復水が高圧且つ多量の場合であっても確実に再蒸発蒸気を防止することができる利点がある。
【発明を実施するための最良の形態】
【０００７】
本発明は、蒸気トラップの出口側に冷却流体吸引管を取り付けたベンチュリ管を接続したものであり、蒸気トラップから排出される復水の圧力と量に応じて冷却流体を吸引するために、高圧且つ多量の復水が排出される場合であっても確実にモヤモヤとした再蒸発蒸気の発生を防止することができる。
【実施例１】
【０００８】
図１は本発明の１実施例の構成図であって、蒸気配管等の復水発生箇所と蒸気トラップ１を接続する接続管２と、蒸気トラップ１の出口側に連通した連通管３、及び、連通管３の下端部に接続したベンチュリ管４とで蒸気トラップの消湯気器を構成する。
【０００９】
蒸気トラップ１の入口５に接続管２の下流側を接続する。接続管２の上流側は、図示しない蒸気管などの復水発生箇所と接続する。復水発生箇所で発生した復水が接続管２を通って蒸気トラップ１内へ流下するものである。蒸気トラップ１は、本実施例においてはその内部に球形フロートを自由状態で配置したフリーフロート型蒸気トラップを用いた例を示す。
【００１０】
蒸気トラップ１の出口６に連通管３を接続する。連通管３は本実施例においては配管継手としてのいわゆるエルボを用いて、蒸気トラップ１とベンチュリ管４とを連通する。
【００１１】
ベンチュリ管４は、上下方向の拡径部の中央に通路断面を絞ったのど部７を設けたもので、こののど部７の内部に冷却流体吸引管８の上端部を連通させる。吸引管８の下端は図示はしないが、排水の流れる排水ピットや、温度の低下した復水が溜められている低温復水タンク、あるいは、大気中など冷却流体の存在する箇所と連通させる。
【００１２】
冷却流体吸引管８の途中には管路を開閉したり管路通過面積を調節することのできるバルブ９を取り付ける。また、ベンチュリ管４の下端部には、蒸気トラップ１から排出される復水と、吸引管８から吸引された冷却流体とが混合して排出される排出管１０を接続する。
【００１３】
接続管２から蒸気トラップ１内へ復水が流入すると、流入した復水の水位に応じて蒸気トラップ１内の球形フロートが浮上降下して、蒸気トラップ１の出口６から復水と一部が再蒸発蒸気となった混合流体としてベンチュリ管４へと流下させる。ベンチュリ管４内へ流下した混合流体はのど部７で通路断面が絞られることにより流速を増して冷却流体吸引管８から低温の冷却水や空気等を吸引混合することによって、混合流体の温度を低下させ、モヤモヤとした再蒸発蒸気の発生を防止する。
【００１４】
ベンチュリ管４ののど部７においては、ベルヌーイの定理に従って流下する流体の速度が速くなるに連れて吸引力も強くなるために、蒸気トラップ１から排出される復水の圧力が高く又復水量が多い程、冷却流体吸引管８から吸引される冷却流体量も多くなることによって、より確実にモヤモヤとした再蒸発蒸気を防止することができる。
【００１５】
ベンチュリ管４内で冷却流体と混合されて冷却された復水と再蒸発蒸気の混合流体は、排出管１０から外部へ排出される。
【００１６】
本実施例においてはベンチュリ管４に１本の冷却流体吸引管８を接続した例を示したが、流下する復水量に応じて吸引管８を複数本接続することもできる。
【産業上の利用可能性】
【００１７】
蒸気トラップの出口に接続したベンチュリ管で冷却流体を吸引して復水を冷却するものであり、さまざまな型式の蒸気トラップの出口側に取り付けることにより、確実にモヤモヤとした再蒸発蒸気の発生を防止することができる。
【図面の簡単な説明】
【００１８】
【図１】本発明の蒸気トラップの消湯気器の実施例を示す構成図。
【符号の説明】
【００１９】
１  蒸気トラップ
２  接続管
３  連通管
４  ベンチュリ管
７  のど部
８  冷却流体吸引管
１０  排出管
【図１】
2005121064.tif 000003